【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
広帯域光源であって、
その中に少なくとも１つの本体挿入体収容器を定め、少なくとも１つの出口ポートがそこに形成された少なくとも１つのランプハウジングと、
前記少なくとも１つの本体挿入体収容器内に位置決め可能であるように構成され、前記少なくとも１つのランプハウジングに取り外し可能に結合されるように構成された少なくとも１つのランプ本体挿入体と、
前記少なくとも１つのランプ本体挿入体に結合され、少なくとも１つのランプ収容領域を定める少なくとも１つの熱管理組立体であって、前記少なくとも１つのランプ本体挿入体が、前記少なくとも１つのランプ収容領域内に位置決め可能であり且つ前記少なくとも１つのランプハウジングに形成された前記少なくとも１つの出口ポートと光学的に連絡している少なくとも１つのキセノンアークランプを有する、少なくとも１つの熱管理組立体と、
前記少なくとも１つのランプハウジング及び前記少なくとも１つのランプ本体挿入体の少なくとも一方に結合された少なくとも１つのプロセッサ装置であって、前記少なくとも１つのキセノンアークランプと連絡し、前記少なくとも１つのキセノンアークランプの少なくとも１つの累積稼働時間を測定するように構成された少なくとも１つのプロセッサ装置と、
前記少なくとも１つのキセノンアークランプと連絡している、少なくとも１つの放熱装置及び少なくとも１つのランプセンサ装置と、
少なくとも１つのインタフェースケーブルを介して、前記少なくとも１つのキセノンアークランプ、前記少なくとも１つの放熱装置及び前記少なくとも１つのランプセンサ装置のうちの少なくとも１つと連絡している少なくとも１つのインタフェースコネクタであって、前記少なくとも１つのインタフェースケーブルが、前記少なくとも１つのキセノンアークランプに電力を供給するように構成されている、少なくとも１つのインタフェースコネクタと、
を備える、広帯域光源。
【請求項２】
前記熱管理組立体は、少なくとも１つの保護器具出口ポートが形成された少なくとも１つの保護器具を更に備え、前記保護器具出口ポートは、前記ランプハウジングに形成された前記出口ポートと光学的に連絡している、請求項１に記載の広帯域光源。
【請求項３】
前記少なくとも１つの保護器具は球形である、請求項２に記載の広帯域光源。
【請求項４】
前記少なくとも１つの保護器具の形状は、楕円形、平面形、放物面形及び放物柱形から成る群から選択された形状を有する、請求項２に記載の広帯域光源。
【請求項５】
前記少なくとも１つのプロセッサ装置は、前記少なくとも１つのキセノンアークランプの少なくとも１つの特性を測定するように構成されている、請求項１に記載の広帯域光源。
【請求項６】
前記少なくとも１つのキセノンアークランプの前記少なくとも１つの特性は、前記少なくとも１つのキセノンアークランプの出力光パワー、出力光強度、出力スペクトル、動作温度、動作電流及び動作電圧から成る群から選択される、請求項５に記載の広帯域光源。
【請求項７】
前記少なくとも１つのプロセッサ装置は、少なくとも１つの制御コネクタを介して少なくとも１つの外部制御源と連絡している、請求項１に記載の広帯域光源。
【請求項８】
モジュール式光源であって、
その中に少なくとも１つの本体挿入体収容器を定め、少なくとも１つの出口ポートがその上に形成された少なくとも１つのランプハウジングと、
前記少なくとも１つの本体挿入体収容器内に位置決め可能であるように構成され、前記少なくとも１つのランプハウジングに取り外し可能に結合されるように構成された少なくとも１つのランプ本体挿入体と、
前記少なくとも１つのランプ本体挿入体に結合され、少なくとも１つのランプ収容領域を定める少なくとも１つの熱管理組立体であって、前記少なくとも１つのランプ本体挿入体が、前記少なくとも１つのランプ収容領域に位置決め可能であり且つ前記少なくとも１つのランプハウジングに形成された前記少なくとも１つの出口ポートと光学的に連絡している少なくとも１つのランプを備える、少なくとも１つの熱管理組立体と、
前記少なくとも１つのランプと連絡している、少なくとも１つの放熱装置及び少なくとも１つのランプセンサ装置と、
少なくとも１つのインタフェースケーブルを介して、前記少なくとも１つのランプ、前記少なくとも１つの放熱装置及び前記少なくとも１つのランプセンサ装置のうちの少なくとも１つと連絡している少なくとも１つのインタフェースコネクタであって、前記少なくとも１つのインタフェースケーブルが前記少なくとも１つのランプに電力を供給するように構成されている、少なくとも１つのインタフェースコネクタと、
前記少なくとも１つのランプハウジング及び前記少なくとも１つのランプ本体挿入体の少なくとも一方に結合された少なくとも１つのプロセッサ装置であって、前記少なくとも１つのランプ、前記少なくとも１つのランプセンサ装置及び前記少なくとも１つの放熱装置と連絡して、少なくとも１つの情報ディスプレイを備えて構成された、少なくとも１つのプロセッサ装置と、
を備える、モジュール式光源。
【請求項９】
前記熱管理組立体は、少なくとも１つの保護器具出口ポートが形成された少なくとも１つの保護器具を更に備え、前記保護器具出口ポートは、前記ランプハウジングに形成された前記出口ポートと光学的に連絡している、請求項８に記載のモジュール式光源。
【請求項１０】
前記少なくとも１つの保護器具は球形である、請求項９に記載のモジュール式光源。
【請求項１１】
前記少なくとも１つの保護器具の形状は、楕円形、平面形、放物面形、及び放物柱形から成る群から選択された形状を有する、請求項９に記載のモジュール式光源。
【請求項１２】
前記少なくとも１つのランプは、少なくとも１つのアークランプを含む、請求項８に記載のモジュール式光源。
【請求項１３】
前記少なくとも１つのアークランプは、キセノンアークランプ、水銀キセノンアークランプ、水銀アークランプ、重水素アークランプ、カーボンアークランプ、クリプトンアークランプ及びナトリウムガス放電ランプから成る群から選択される、請求項１２に記載のモジュール式光源。
【請求項１４】
前記少なくとも１つの情報ディスプレイは、前記少なくとも１つのランプの少なくとも１つの特性を表示するように構成されている、請求項８に記載のモジュール式光源。
【請求項１５】
前記少なくとも１つのランプの前記少なくとも１つの特性は累積稼働時間である、請求項１４に記載のモジュール式光源。
【請求項１６】
前記ランプの前記少なくとも１つの特性は、前記キセノンアークランプの出力光パワー、出力光強度、出力スペクトル、動作温度、動作電流及び動作電圧から成る群から選択される、請求項１４に記載のモジュール式光源。
【請求項１７】
前記モジュール式光源から少なくとも１つの外部制御源に信号を送受信するように構成された少なくとも１つの制御コネクタを更に備え、前記少なくとも１つの外部制御源は、少なくとも１つの電力信号及び少なくとも１つの制御信号の少なくとも一方を前記モジュール式光源へ提供するように構成される、請求項８に記載のモジュール式光源。
【請求項１８】
広帯域光源モジュールであって、
少なくとも１つのランプ収容領域を定める少なくとも１つの熱管理組立体を含む少なくとも１つのランプ本体挿入体であって、前記少なくとも１つの熱管理組立体は、少なくとも１つの保護器具出口ポートを定める少なくとも１つの保護器具が形成されるように構成された、少なくとも１つのランプ本体挿入体と、
前記少なくとも１つのランプ収容領域内に位置決め可能であり前記少なくとも１つの保護器具出口ポートと光学的に連絡した少なくとも１つの広帯域ランプであって、前記少なくとも１つの保護器具出口ポートを通って光放射を放出するように構成された少なくとも１つの広帯域ランプと、
前記少なくとも１つの広帯域ランプと連絡した少なくとも１つの放熱装置及び少なくとも１つのランプセンサ装置と、
少なくとも１つのインタフェースケーブルを介して、前記少なくとも１つの広帯域ランプ、前記少なくとも１つの放熱装置及び前記少なくとも１つのランプセンサ装置のうちの少なくとも１つと連絡した少なくとも１つのインタフェースコネクタであって、前記少なくとも１つのインタフェースケーブルは、前記少なくとも１つの広帯域ランプに電力を供給するように構成されている、少なくとも１つのインタフェースコネクタと、
を備える、広帯域光源モジュール。
【請求項１９】
前記保護器具は球形である、請求項１８に記載の広帯域光源モジュール。
【請求項２０】
前記少なくとも１つの保護器具の前記形状は、楕円形、平面形、放物面形及び放物柱形から成る群から選択される、請求項１８に記載の広帯域光源モジュール。
【請求項２１】
前記少なくとも１つの広帯域ランプは、少なくとも１つのアークランプを備えている、請求項１８に記載の広帯域光源モジュール。
【請求項２２】
前記少なくとも１つのアークランプは、水銀−キセノンアークランプ、水銀アークランプ、重水素ランプ、カーボンアークランプ、クリプトンアークランプ及びナトリウムガス放電アークランプから成る群から選択される、請求項２１に記載の広帯域光源。